(57)【要約】【課題】強度や安定性を保ちつつ、カップに載置したままでカップ内の液量を視認することが可能なドリッパーを提供する。【解決手段】ドリッパー１は、フィルターを保持するフィルター保持部１０と、フィルター保持部１０の下部から外方に向かって広がるフランジ部２０と、を備え、フランジ部２０には、厚さ方向に貫通する３つの空間部２２ａ、２２ｂ、２２ｃが形成されている。【選択図】図１
2014014641.tif 000002
【特許請求の範囲】
【請求項１】
フィルターを保持するフィルター保持部と、前記フィルター保持部の下部から外方に向かって広がるフランジ部と、を備えたドリッパーであって、
前記フランジ部には、厚さ方向に貫通する少なくとも３つの空間部が形成されたことを特徴とするドリッパー。
【請求項２】
平面視において、前記フランジ部の外縁は円形に形成されており、前記空間部の形状は前記フランジ部の前記外縁に沿った円弧形状であることを特徴とする請求項１に記載のドリーパー。
【請求項３】
前記空間部の形状は、平面視において矩形状であることを特徴とする請求項１に記載のドリーパー。
【請求項４】
前記空間部には、１又は複数の棒状部材が掛け渡されていることを特徴とする請求項１から３の何れか１項に記載のドリッパー。
【請求項５】
前記空間部は、１又は複数の仕切り部材により複数の空間部に仕切られていることを特徴とする請求項１から３の何れか１項に記載のドリッパー。
【請求項６】
前記空間部には、網部材が取り付けられていることを特徴とする請求項１から３の何れか１項に記載のドリッパー。
【請求項７】
前記空間部には、透明な板状部材が取り付けられていることを特徴とする請求項１から３の何れか１項に記載のドリッパー。
【請求項８】
前記空間部は、前記フランジ部の周方向に略９０度の間隔で配置されていることを特徴とする請求項２に記載のドリッパー。
【請求項９】
前記フィルター保持部の外側には取手が設けられ、
前記取手の下方に位置する前記フランジ部には、前記空間部が設けられていることを特徴とする請求項１から７の何れか１項に記載のドリッパー。
【発明の詳細な説明】
【技術分野】
【０００１】  本発明は、フィルターを使用してコーヒー等の飲料を淹れたり、廃油等、固形物が含まれる液体を濾過するためのドリッパーに関する。
【背景技術】
【０００２】  従来、コーヒー豆からコーヒーを淹れる器具として、図９に示すドリッパーが存在する。図８に示すように、ドリッパーは、漏斗状のフィルター保持部１０と、フィルター保持部１０の外側に取り付けられた取手１２と、フィルター保持部１０の下部から外方に広がるフランジ部２０と、を備えている。また、フィルター保持部１０の内周面には、上下方向に延びる複数のリブ１４が配置されており、底面には上下方向に貫通し液体を通すための孔（不図示）が設けられている。
このようなドリッパーを使用してコーヒーを淹れる際には、当該ドリッパーのフランジ部２０をコーヒーカップの開口部に載せ、フィルター保持部１０内にフィルター（不図示）を設置し、当該フィルター内に挽いたコーヒー豆を入れる。そして、フィルター内に熱湯を注いで、コーヒー豆からコーヒー液を抽出し、当該コーヒー液をフィルター保持部１０の底面の孔からコーヒーカップ内に流下させていた。【０００３】  ここで、ドリッパーやコーヒーカップは不透明な陶器で形成されていることが多く、この場合、コーヒーカップ内にコーヒー液を流下させている時にコーヒーカップ内のコーヒー液の量を視認することができなかった。このため、熱湯をドリッパーに注ぎながらドリッパーを時々持ち上げてコーヒーカップ内のコーヒー液の量を確認しないと、適切な量のコーヒー液をコーヒーカップ内に入れることができず、熱湯を多めに入れた場合にはコーヒー液がコーヒーカップから溢れてしまう危険性もあった。【０００４】  コーヒー液の抽出中にコーヒーカップ内を視認可能なドリッパーとして、特許文献１には、フランジ部をワイヤーで形成することが記載されている。また、特許文献２には、フランジ部に三日月形の切り込みをいれることが記載されている。
【先行技術文献】
【特許文献】
【０００５】
【特許文献１】特開２００７−９００２５号公報
【特許文献２】特開２００８−０６１９９１号公報
【発明の概要】
【発明が解決しようとする課題】
【０００６】  しかしながら、フランジ部をワイヤーで形成すると、小さな衝撃でも変形し易くなり耐久性が低下する。また、フランジ部にコーヒーカップ内を視認できるほどの三日月形の切り込みを入れると、ドリッパーの安定性が低下する。
本発明は、上述した問題点を解決するためになされたものであり、強度や安定性を保ちつつ、カップに載置したままでカップ内の液量を視認することが可能なドリッパーを提供することを目的とする。
【課題を解決するための手段】
【０００７】  上記目的を達成するために、本発明に係るドリッパーは、フィルターを保持するフィルター保持部と、前記フィルター保持部の下部から外方に向かって広がるフランジ部と、を備えたドリッパーであって、前記フランジ部には、厚さ方向に貫通する少なくとも３つの空間部が形成されたことを特徴とする。
本発明によれば、ドリッパーのフランジ部には、厚さ方向に貫通する少なくとも３つの空間部が形成されているため、強度や安定性を保ちつつ、カップに載置したままでカップ内の液量を視認することが可能となる。また、３つの空間部を設けることで、カップ内に十分に光がはいり、カップ内を見易くすることができる。【０００８】  上記発明において、平面視において、前記フランジ部の外縁は円形に形成されており、前記空間部の形状は前記フランジ部の前記外縁に沿った円弧形状であることを特徴とする。
本発明によれば、フランジ部をカップの開口に載せた状態で、カップと液体との境界部を容易に視認することができる。【０００９】  上記発明において、前記空間部の形状は、平面視において矩形状であることを特徴とする。
上記発明において、前記空間部には、１又は複数の棒状部材が掛け渡されていることを特徴とする。
本発明によれば、フランジ部に空間部を設けても強度を保つことができる。【００１０】  上記発明において、前記空間部は、１又は複数の仕切り部材により複数の空間部に仕切られていることを特徴とする。
本発明によれば、フランジ部に空間部を設けても強度を保つことができる。【００１１】  上記発明において、前記空間部には、網部材が取り付けられていることを特徴とする。
本発明によれば、フランジ部に空間部を設けても強度を高めることができるとともに、大きなゴミがカップ内に入るのを防止することができる。【００１２】  上記発明において、前記空間部には、透明な板状部材が取り付けられていることを特徴とする。
本発明によれば、フランジ部の強度と視認性を高めることができる。また、ゴミや埃がカップ内に入るのを防止することができる。【００１３】  上記発明において、前記空間部は、前記フランジ部の周方向に略９０度の間隔で配置されていることを特徴とする。
本発明によれば、ユーザは左右の空間部からカップと液体との境界部を容易に視認することが可能となる。【００１４】  上記発明において、前記フィルター保持部の外側には取手が設けられ、前記取手の下方に位置する前記フランジ部には、前記空間部が設けられていることを特徴とする。
本発明によれば、ユーザが熱湯を注ぐ際に、カップ内を視認し易い位置に空間部を配置することができる。
【発明の効果】
【００１５】  本発明によれば、ドリッパーのフランジ部には、厚さ方向に貫通する少なくとも３つの空間部が形成されているため、強度や安定性を保ちつつ、カップに載置したままでカップ内の液量を視認することが可能となる。
【図面の簡単な説明】
【００１６】
【図１】本発明の実施形態に係るドリッパーの斜視図である。
【図２】同実施形態に係るドリッパーを下方から見た底面図である。
【図３】同実施形態に係るドリッパーコーヒーカップの上に載せた様子を示す図である。
【図４】第１の変形例に係る空間部を有するドリッパーを下方から見た底面図である。
【図５】第２の変形例に係る空間部を有するドリッパーを下方から見た底面図である。
【図６】第３の変形例に係る空間部を有するドリッパーを下方から見た底面図である。
【図７】第４の変形例に係る空間部を有するドリッパーを下方から見た底面図である。
【図８】第５の変形例に係る空間部を有するドリッパーの斜視図である。
【図９】第６の変形例に係る空間部を有するドリッパーを下方から見た底面図である。
【図１０】従来におけるドリッパーの斜視図である。
【発明を実施するための形態】
【００１７】  以下、本発明を実施するための形態を、図面を参照して詳細に説明する。
図１は本発明の実施形態に係るドリッパー１の斜視図、図２はドリッパー１を下方から見た底面図である。これらの図に示すように、ドリッパー１はフィルターを設置するためのフィルター保持部１０を備えている。当該フィルター保持部１０は漏斗状に形成され、その内側面には上下方向に延びる複数のリブ１４が設けられている。フィルター保持部１０の底部には、フィルター保持部１０内に注がれた液体を流下させるための、鉛直方向に貫通する孔１６が設けられている。
【００１８】  フィルター保持部１０の下部には、水平方向外方に広がるフランジ部２０が設けられている。フランジ部２０は、平面視においてその外縁が円形に形成されている。フランジ部２０は、フィルター保持部１０から流下されるコーヒー液等の飲料を受けるための容器に載置されるものであり、フィルター保持部１０を容器の上に安定的に支持する。フィルター保持部１０の外側面には取手１２が設けられている。
【００１９】  ドリッパー１は陶器等の不透明な部材で形成されている。フランジ部２０及び取手１２は、フィルター保持部１０と一体的に製造してもよいし、フランジ部２０、フィルター保持部１０、取手１２を個別に製造した後に接合することも可能である。
【００２０】  フランジ部２０の主面には、厚さ方向に貫通する、２つの覗き空間部２２ａ、２２ｃと、１つの採光空間部２２ｃと、が形成されている。各空間部２２ａ、２２ｂ、２２ｃは、平面視において、フランジ部２０の外縁に沿うような円弧状の形状を有している。本実施形態では、１つの覗き空間部２２ａは取手１２の下方に設けられている。取手１２の下方に覗き空間部２２ａを配置することで、ユーザは熱湯を注いたりコーヒー液の滴下を待つ時に取手１２付近に視線を向けることが多いため、容器内を視認し易くすることができる。
【００２１】  ３つの空間部２２ａ、２２ｂ、２２ｃは、フランジ部２０の周方向に略９０°の間隔で配置されている。本実施形態では、採光空間部２２ｂは、覗き空間部２２ａからフィルター保持部１０を中心に右回りに略９０°離れた位置に配置されており、覗き空間部２２ｃは採光空間部２２ｂから右回りに略９０°離れた位置に配置されている。なお、配置間隔は９０°に限定されることはなく、例えば１２０°間隔で配置しても、その他の任意の間隔で配置してもよい。
【００２２】  このようなドリッパー１を使用してコーヒーを淹れる場合には、図３に示すように、当該ドリッパー１のフランジ部２０をコーヒーカップ３０に載せ、フィルター保持部１０の内側にフィルターを設置し、当該フィルター内に挽いたコーヒー豆を入れる。そして、フィルター内に熱湯４０を注いで、フィルター保持部１０の底部の孔１６からコーヒーカップ３０内にコーヒー液５０を流下させる。
【００２３】  この際、ユーザが右利きの場合、左手を取手１２に沿え、右手でポットを把持して当該ポットからフィルター保持部１０内のフィルターに熱湯４０を注ぐことが一般的である。したがって、ユーザがコーヒーカップ３０の上にドリッパー１を置載する際には、図３に示すように、ユーザに対して左側に取手１２と覗き空間部２２ａが配置され、右側に覗き空間部２２ｃが配置され、ドリッパー１の向こう側に採光空間部２２ｂが配置されるように、ドリッパー１を配置することとなる。
【００２４】  この状態において、ユーザは左右に配置された覗き空間部２２ａ、２２ｃからコーヒーカップ３０内の液面とコーヒーカップ３０の壁面との境界を視認することができる。採光空間部２２ｂはドリッパー１の向こう側に配置されているためユーザからは視認することができないが、採光空間部２２ｂからコーヒーカップ３０内に十分な光が入り、コーヒーカップ３０内を視認し易くすることができる。なお、採光空間部２２ｂをユーザの手前側に配置してもよく、この場合には当該採光空間部２２ｂからコーヒーカップ３０内に砂糖やクリームを入れることもできる。
【００２５】  なお、上述した実施形態では、平面視における空間部２２ａ、２２ｂ、２２ｃの形状は円弧状であるとして説明したが、これに限定されることはなく、図４に示すように矩形状であってもよい。さらには、楕円形や菱形、星型等の任意の形状をとることができる。また、空間部２２ａ、２２ｂ、２２ｃそれぞれが異なる形状を有していてもよい。
【００２６】  また、図５に示すように、各空間部２２ａ、２２ｂ、２２ｃに、１又は複数の仕切り部材２４を設けて、各空間部２２ａ、２２ｂ、２２ｃを複数の空間に仕切ってもよい。これにより、空間部２２ａ、２２ｂ、２２ｃを大きくしても、フランジ部２０の強度を保つことができる。
【００２７】  また、図６に示すように、各空間部２２ａ、２２ｂ、２２ｃに１又は複数の棒状部材２６を掛け渡してもよい。これにより、空間部２２ａ、２２ｂ、２２ｃを大きくしても、フランジ部２０の強度を保つことができる。
【００２８】  なお、仕切り部材２４や棒状部材２６は、フランジ部２０と同じ材質で形成してもよいし、プラスチック、金属等、異なる材質で形成してもよい。製造方法としては、フランジ部２０の外形を成形した後に、仕切り部材２４や棒状部材２６を残すように空間部部２２ａ、２２ｂ、２２ｃの形抜きをしてもよいし、先に空間部２２ａ、２２ｂ、２２ｃを設けたフランジ部２０を成形し、その後、仕切り部材２４や棒状部材２６を空間部２２ａ、２２ｂ、２２ｃの壁面に接合してもよい。
【００２９】  また、図７に示すように、各空間部２２ａ、２２ｂ、２２ｃに、メッシュ状の網部材２８を嵌め込んでもよい。網部材２８は、プラスチック、金属、フランジ部２０と同一の陶器等で形成することができる。網部材２８を設けることにより、強度を保つのみならず、大きなゴミが空間部２２ａ、２２ｂ、２２ｃからコーヒーカップ３０内に入るのを防止することができる。
【００３０】  また、各空間部２２ａ、２２ｂ、２２ｃに、ガラス板等の透明な板状部材２９を嵌め込んでもよい。これにより、強度を保つのみならず、ゴミや埃が空間部２２ａ、２２ｂ、２２ｃからコーヒーカップ内に入るのを防止することができると共に、視認性を損ねることがない。
【００３１】  なお、上述した実施形態では、フランジ部２０に空間部を３つ設けたが、３つに限定されることはなく、例えば図８に示すように、図１に示すフランジ部２０に対して空間部２２ｄを１つ追加することにより、フランジ部２０の周方向に９０°間隔で空間部を４つ設けてもよい。或いは、図９に示すように、フランジ部２０の外周に沿ってドーナツ状に設けた空間部を複数の棒状部材２６（或いは仕切り部材２４）で仕切ることにより、多数の空間部２２ｅを設けてもよい。
また、上述した実施形態では、フランジ部２０の平面視における外縁の形状が円形であるとして説明したが、円形に限定されることはなく、任意の形状とすることができる。例えば、３角形、４角形等の多角形であっても楕円形であってもよい。
【００３２】  また、上述した実施形態では、ドリッパー１を用いてコーヒーを淹れる場合について説明したが、コーヒーに限らず、紅茶、日本茶等を淹れる場合にもドリッパー１を用いることができる。また、飲料に限らず、廃油や排水等、固形物が含まれる液体を濾過する場合にも用いることができる。
【符号の説明】
【００３３】１……ドリッパー、１０……フィルター保持部、１２……取手、１４……リブ、１６……孔、２０……フランジ部、２２ａ、２２ｃ……（覗き）空間部、２２ｃ……（採光）空間部、２２ｄ、２２ｅ……空間部、２４……仕切り部材、２６……棒状部材、２８……網部材、３０……コーヒーカップ、４０……熱湯、５０……コーヒー液
【図１】
2014014641.tif 000003
【図２】
2014014641.tif 000004
【図３】
2014014641.tif 000005
【図４】
2014014641.tif 000006
【図５】
2014014641.tif 000007
【図６】
2014014641.tif 000008
【図７】
2014014641.tif 000009
【図８】
2014014641.tif 000010
【図９】
2014014641.tif 000011
【図１０】
2014014641.tif 000012